(57)【特許請求の範囲】
【請求項１】
制御パッケージが検査信号を伝送して、少なくとも一つの検査対象パッケージの断線を検出する断線検出方法であって、
前記制御パッケージに配線された制御内信号線と、前記検査対象パッケージに配線された検査対象内信号線とを接続して１本の信号線を形成し、
前記制御パッケージによって、前記信号線に所定の電圧の第一検査信号が出力され、
前記制御内信号線に接続されたプルダウン手段によって、前記検査対象内信号線に接続されたプルアップ手段が供給する電圧が分圧され、
前記制御パッケージによって、分圧された電圧が供給された前記第一検査信号の検出電圧と、前記制御パッケージ内に保持する閾値とが比較され、
前記制御パッケージによって、さらに、
前記所定の電圧と異なる電圧の第二検査信号が前記信号線に出力され、
前記分圧された電圧が供給された、前記第二検査信号の検出電圧と、前記制御パッケージ内に保持する閾値とが比較される断線検出方法。
【請求項２】
前記第二検査信号は、複数の前記検査対象パッケージのいずれか一つが電気的に接続していない場合、前記検出電圧が前記閾値未満になるように調整されていることを特徴とする請求項１記載の断線検出方法。
【請求項３】
前記第二検査信号は、複数からなることを特徴とする請求項１または２記載の断線検出方法。
【請求項４】
前記制御パッケージによって比較された結果は、前記制御パッケージと、複数の前記検査対象パッケージのうち、前記制御パッケージに最も近い検査対象パッケージの断線を検出することを特徴とする請求項１乃至３のいずれか一項に記載の断線検出方法。
【請求項５】
制御パッケージと、
少なくとも一つの検査対象パッケージと、を備え、
前記制御パッケージは、
電圧が相互に異なる複数の検査信号を出力する出力手段と、
前記出力手段から出力された検査信号の検出電圧を検出し、前記検出電圧と保持する閾値とを比較する検出手段と、
前記検査信号に供給される電圧をプルダウンするプルダウン手段と、
前記出力手段、前記検出手段及び前記プルダウン手段が接続され、前記検査信号を伝送する制御内信号線と、を備え、
前記検査対象パッケージは、
前記出力手段から出力される検査信号を伝送する検査対象内信号線と、
前記検査対象内信号線に接続され、前記検査信号へ電圧を供給するプルアップするプルアップ手段と、を備え、
前記制御内信号線と前記少なくとも一つの検査対象パッケージ
が有する前記検査対象内信号線とは、１本の信号線を形成し、
前記検査対象パッケージは、複数からなり、
複数の前記検査対象パッケージが有する複数の前記検査対象内信号線それぞれは前記プルダウン手段が接続され、
前記制御内信号線と複数の前記検査対象内信号線とは、１本の信号線を形成する電子機器。
【請求項６】
前記検査対象パッケージは、さらに、
グランドに接続するコンデンサを備えることを特徴とする請求項５記載の電子機器。
【発明の詳細な説明】
【技術分野】
【０００１】
本発明は、複数のパッケージの断線を検出する方法及び装置に関する。
【背景技術】
【０００２】
従来複数枚パッケージ（ＰＫＧ：Ｐａｃｋａｇｅ）に構成されている装置の各ＰＫＧの未接続や断線を判断する方法としては、専用の信号線を各々のＰＫＧへ１対１で配線し、その信号の状態を検出する方法か、あるいは制御されるＩ／Ｆ上のプロトコルを用いハンドシェイクにて接続が確立しているかを検査していた。このため、専用信号線を配線する場合などでは、断線を検出すべきＰＫＧの枚数分を用意する必要があった。また、断線の検出を検査するため、ＣＰＵなどでは専用の検出ポートを用意する必要があり、回路規模が余計に増える可能性があった。さらに、専用の検査信号を専用のポートへ連絡するためには複数本の信号を各々のＰＫＧへ渡す必要があり、コネクタやケーブルの極数を増やす要因となっていた。
【０００３】
通信Ｉ／Ｆを代用し接続を確認するような方法の場合、ある程度のシステムの初期化処理が必要となり、Ｉ／Ｆが使用可能となるまでの時間はＰＫＧ未接続の検出が不能となり致命的な不良を検出できないことがあった。
【０００４】
例えば、特許文献１には、パターンに直接プローブを当てずに配線が１対１で接続されたチップ同士間における断線位置を検出可能とする断線位置検出方法が開示されている。この方法は、１対１に接続されたチップ同士の検査に適用するものであり、複数のパッケージを接続した場合に検査に適用するものではなかった。
【０００５】
従来、幾つかのＰＫＧを接続し、断線を検出する場合、特定したい信号線を各ＰＫＧ毎に用意しケーブルやコネクタを介し接続していた。そして、各ＰＫＧ上の終端でプルアップやＧＮＤへの短絡を行い、断線の状態を検出していた。このように、どのＰＫＧが切断／断線状態にあるかどうかは、複数のＰＫＧを並列に個々に判定していた。
【先行技術文献】
【特許文献】
【０００６】
【特許文献１】特開２００１−２９６３３０号公報
【発明の概要】
【発明が解決しようとする課題】
【０００７】
しかしながら、複数のＰＫＧを並列に個々に判定する方法ではＰＫＧの数量により断線を検出するために専用の信号線が増える。このため、コネクタやケーブルの多極化に繋がっていた。
【０００８】
本発明は、複数のパッケージを接続して構成する電子機器において、一本の検査信号線を用いて各パッケージが接続されているか否かを検査する断線検出方法及び電子機器を提供することを目的とする。
【課題を解決するための手段】
【０００９】
本発明に係る断線検出方法の一態様は、制御パッケージが検査信号を伝送して、少なくとも一つの検査対象パッケージの断線を検出する断線検出方法であって、前記制御パッケージに配線された制御内信号線と、前記検査対象パッケージに配線された検査対象内信号線とを接続して１本の信号線を形成し、前記制御パッケージによって、前記信号線に所定の電圧の第一検査信号が出力され、前記制御内信号線に接続されたプルダウン手段によって、前記検査対象内信号線に接続されたプルアップ手段が供給する電圧が分圧され、前記制御パッケージによって、分圧された電圧が供給された前記第一検査信号の検出電圧と、前記制御パッケージ内に保持する閾値とが比較される。
【００１０】
本発明に係る電子機器の一態様は、制御パッケージと、少なくとも一つの検査対象パッケージと、を備え、前記制御パッケージは、電圧が相互に異なる複数の検査信号を出力する出力手段と、前記出力手段から出力された検査信号の検出電圧を検出し、前記検出電圧と保持する閾値とを比較する検出手段と、前記検査信号に供給される電圧をプルダウンするプルダウン手段と、前記出力手段、前記検出手段及び前記プルダウン手段が接続され、前記検査信号を伝送する制御内信号線と、を備え、前記検査対象パッケージは、前記出力手段から出力される検査信号を伝送する検査対象内信号線と、前記検査対象内信号線に接続され、前記検査信号へ電圧を供給するプルアップするプルアップ手段と、を備え、前記制御内信号線と前記少なくとも一つの検査対象パッケージが有する前記検査対象内信号線とは、１本の信号線を形成する。
【発明の効果】
【００１１】
本発明によれば、複数のパッケージを接続して構成する電子機器において、一本の検査信号線を用いて各パッケージが接続されているか否かを検査することが可能となる。
【図面の簡単な説明】
【００１２】
【図１】発明の実施形態１に係る電子機器の構成例を示すブロック図である。
【図２Ａ】図１の電子機器における判定結果の一例を示す表である。
【図２Ｂ】図１の電子機器における検出電圧の一例を示す表である。
【図３Ａ】図１の電子機器のレシーバＩＣにおいて、分周比８０％の場合に検出される検出電圧の一例を示す図である。
【図３Ｂ】図１の電子機器のレシーバＩＣにおいて、分周比６５％の場合に検出される検出電圧の一例を示す図である。
【発明を実施するための形態】
【００１３】
以下、本発明の実施形態について、図面を参照しながら説明する。説明の明確化のため、以下の記載及び図面は、適宜、省略、及び簡略化がなされている。各図面において同一の構成または機能を有する構成要素および相当部分には、同一の符号を付し、その説明は省略する。
【００１４】
本発明は、複数のＰＫＧを接続して電子機器（電子システム）を構成する場合に、各々のＰＫＧが接続されているかどうかを、複数本の信号線を使用することなく、１本の信号線を形成して検査する。具体的には、起点となるＰＫＧから各ＰＫＧ上を一筆書き状に信号を渡して検査し、各々のＰＫＧ上での断線があった場合、あるいは、ＰＫＧとＰＫＧが未接続である部分を特定する。以下、実施の形態を、図面を参照して説明する。
【００１５】
（実施形態１）
図１は、本発明の実施形態１に係る電子機器の構成例を示すブロック図である。電子機器は、少なくとも２つ以上のＰＫＧが連続で接続される構成であり、図１では４つのＰＫＧがコネクタあるいはケーブル等で接続された状態を示している。
【００１６】
電子機器は、４つのＰＫＧ１〜４を備える。図１では、各ＰＫＧは、コネクタによって電気的に接続されている例を示している。
ＰＫＧ１は、検査信号を出力し、出力された信号を検出する。ＰＫＧ１は、検査信号を出力するパッケージであることから、制御パッケージともいう。また、ＰＫＧ２〜４は、ＰＫＧ１へ一つの検査信号線を形成して芋づる式に接続され、断線しているか否かを検査されるパッケージであることから、検査対象パッケージともいう。以下、各構成要素について説明する。
【００１７】
ＰＫＧ１は、ドライバＩＣ（Integrated Circuit）（出力手段）１１、レシーバＩＣ（検出手段）１２、プルダウン抵抗（プルダウン手段）１３、制御内信号線１４及びコネクタ１５を備える。
ドライバＩＣ１１は、相互に異なる電圧の複数の検査信号を出力する。例えば、ドライバＩＣ１１は、一般的にオープンコレクタまたはオープンドレインの構造を持つ電圧ソースを持たないＩＣを用いることができる。
【００１８】
レシーバＩＣ１２は、ドライバＩＣ１１から出力された検査信号を検出する。レシーバＩＣ１２は、ドライバＩＣ１１から出力される検査信号を検出できるように制御内信号線１４へ接続されている。レシーバＩＣ１２は、予め設定された閾値を保持する。閾値は、一つであり、検査対象パッケージの機能、例えば、検査対象パッケージに設置されるプルダウン抵抗、検査信号の電圧等に応じて、予め値が決定される。
例えば、レシーバＩＣ１２は、一般的に、閾値が固定となるＣＭＯＳ（Complementary Metal Oxide Semiconductor）ＩＣを用いることができる。
【００１９】
プルダウン抵抗１３は、検査信号に供給される電圧のレベルをプルダウンする。具価的には、検査信号に供給される電圧を分圧する。
制御内信号線１４は、ドライバＩＣ１１、レシーバＩＣ１２及びプルダウン抵抗１３が接続されている。制御内信号線１４は、ドライバＩＣ１１から出力される検査信号を伝送する。図１では、コネクタ１５の部分も含む、ＰＫＧ１内に配線された信号線を指す。
コネクタ１５は、当該ＰＫＧ１と他のＰＫＧ（検査対象パッケージ）とを電気的に接続させる。
【００２０】
ＰＫＧ２は、プルアップ抵抗２１、コンデンサ２２、検査対象内信号線２３及びコネクタ２４、２５を備える。ＰＫＧ２と同様に、ＰＫＧ３は、プルアップ抵抗３１、コンデンサ３２、検査対象内信号線３３及びコネクタ３４、３５を、ＰＫＧ４は、プルアップ抵抗４１、コンデンサ４２、検査対象内信号線４３及びコネクタ４４を備える。ＰＫＧ２〜４では同様の構成であるため、以降の説明では、適宜ＰＫＧ２を用いて説明するが、ＰＫＧ３、４も同様である。
プルアップ抵抗２１は、ドライバＩＣ１１から出力される検査信号のレベルをプルアップする。具体的には、検査信号へ電圧を供給する。
コンデンサ（デカップリングコンデンサ）２２は、ＧＲＤに接続され、検査信号の電圧を安定させる。また、検査信号から雑音信号を除去する。
検査対象内信号線２３は、ドライバＩＣ１１から出力された検査信号を伝送する。図１では、コネクタ２４、２５の部分を含む、ＰＫＧ２内に配線された信号線を指す。
コネクタ２４、２５は、当該ＰＫＧ２を他のＰＫＧ（制御パッケージまたは検査対象パッケージ）と電気的に接続させる。
【００２１】
制御内信号線１４及び検査対象内信号線２３、３３、４３は、電気的に接続され、一本の信号ラインを形成する。以降の説明では、当該一本の信号ラインに形成される信号線を、検査信号線８として説明する。ドライバＩＣ１１から出力される検査信号は、検査信号線８を介してＰＫＧ２〜４へ伝送される。
【００２２】
また、図１には図示していないが、一般的に各々のＰＫＧのＧＮＤおよび電源供給のレベルは共通であり、各ＰＫＧ上で使用するソースとなる電源供給は共通であるものとする。
基点となるＰＫＧ１にはドライバＩＣ１１から検査信号として出力された信号がレシーバＩＣ１２で検出できるように配線されている。同時にこの検査信号は各々のＰＫＧ２〜４上に伝送され、各々のＰＫＧ２〜４上でプルアップ抵抗２１、３１、４１にて電圧を供給している。また同時にコンデンサ２２、３２、４２をＧＮＤ間に配している。
【００２３】
基点となるＰＫＧ１はプルアップ抵抗を持たず、プルダウン抵抗１３を備え、ＰＫＧ１以降に接続されるＰＫＧ２〜４上のプルアップ抵抗の電圧を、分圧することを目的に設けられている。検査信号は、検査信号線８に伝送される。ＰＫＧ２、ＰＫＧ３、ＰＫＧ４上で、プルアップ抵抗２１、３１、４１と、コンデンサ２２、３２、４２とが設けられている。プルダウン抵抗１３によって、プルアップ抵抗２１、３１、４１が供給する電圧が分圧され、当該分圧された電圧が検査信号に供給されている回路構造を示している。レシーバＩＣ１２は、当該分圧された電圧が供給された検査信号の電圧を検出する。
例えば、ＰＫＧ４が何らかの要因で断線した場合、検査信号線８に供給する電圧が断たれることにより、ＰＫＧ２、ＰＫＧ３のプルアップ抵抗２１、２２から供給される電圧が、プルダウン抵抗１３によって分圧された電圧を、レシーバＩＣ１２の持つ閾値で検出することで、ＰＫＧ４の断線が検出することが可能となる。
【００２４】
なお、図１では、４つのＰＫＧが接続された場合を示しているが、少なくとも二つのＰＫＧを接続する場合に本発明を適用することが可能である。なお、ＰＫＧ４以降、他のＰＫＧが連続して繋がる場合、検査信号線がプルアップ抵抗をもって配線されていなければならない。
【００２５】
続いて、断線検査手順について、具体例を用いて説明する。
図２Ａ，２Ｂは図１の電子機器における検査結果の一例を示す表である。図２Ａは、検出結果として判定結果を示し、図２Ｂは、実際に検出され得る検出電圧の一例を示している。図２Ａは、検査信号線８において、同時にプルアップ抵抗２１、３１、４１とプルダウン抵抗１３により検査信号が発生した検出電圧を、レシーバＩＣ１２が持つ閾値にて判定した出力を期待値として示す。図２Ａ、２Ｂでは、検査信号として、Ｈ（第一検査信号）、ＣＬＫ１（第二検査信号）、ＣＬＫ２（第三検査信号）を設定している。検査信号"Ｈ"レベルは、「コンスタント出力」ともいう。ＣＬＫ１は、検査信号"Ｈ"を分周比８０％に分周した場合、ＣＬＫ２は、検査信号"Ｈ"を分周比８０％に分周した場合を一例として用いる。
【００２６】
図３Ａ，３Ｂは，図１の電子機器のレシーバＩＣにおいて、検出される検出電圧の一例を示す図であり、図３Ａは、分周比８０％の場合、図３Ｂは、分周比６５％の場合を示している。
図３Ａ、３Ｂでは、レシーバＩＣ１２として一般的なＣＭＯＳＩＣを用いる場合、閾値が固定となる（例２．５Ｖ）。また、検査信号線８に伝送される検査信号は、コンスタントにドライバＩＣ１１から"Ｈ"レベル（例５．０Ｖ）の信号を出力される場合を示している。さらに、検査信号をクロックとし、一定の分周比をもって出力した場合の検出電圧の波形を示している。
【００２７】
続いて、図１の構成図と、図２Ａ、２Ｂの検出結果例を用い説明する。ここでは、一例として、回路に用いられる抵抗値を、プルダウン抵抗１３には１０００Ω（ＯＨＭ）、プルアップ抵抗２１には８００Ω、プルアップ抵抗３１に８００Ω、プルアップ抵抗４１に４００Ωを接続し、プルアップ電圧は一般的に５．０Ｖの電圧を用い、ドライバＩＣ１１およびレシーバＩＣ１２ともに５．０Ｖ電圧で動作するＩＣを設定する。
【００２８】
ここで、レシーバＩＣ１２が有する閾値は２．５Ｖであり、２．５Ｖ以上の場合に"Ｈ"、２．５Ｖ未満の場合に"Ｌ"を検出することを前提とする。
ドライバＩＣ１１は、任意の電圧の検査信号が入力される。検査信号は、他の制御装置など外部装置において電圧を任意に設定されて入力される。図１の構成では、符号Ａから、任意に設定された電圧が入力される。
ドライバＩＣ１１が検査信号を出力すると、レシーバＩＣ１２は、検査信号に応じて検出電圧（検査信号）を検出する。レシーバＩＣ１２は、検出した検出電圧を閾値と比較した検出結果（Ｈ／Ｌ）を出力する。図１の構成では、符号Ｃより期待値が出力される。
【００２９】
まず、ＰＫＧ２以降が接続されていない場合、すなわち、ＰＫＧ１と接続するＰＫＧがない場合の検出方法を説明する。ドライバＩＣ１１が、図２に示す検査信号"Ｈ"レベルを持続して出力したとき、検査信号線８を伝送する検査信号は、ＰＫＧ２以降が接続されていないため、プルアップ抵抗２１、３１、４１の電圧を発生しない。従って、レシーバＩＣ１２は、検出電圧として、単純に入力レベルが"Ｌ"であることを判定できる。
【００３０】
次に、ＰＫＧ２、ＰＫＧ３が接続されており、ＰＫＧ４のみ接続されていない場合の検出方法を説明する。ドライバＩＣ１１が図２に示す検査信号"Ｈ"を維持して出力したとき、検査信号にはＰＫＧ２，ＰＫＧ３のプルアップ抵抗２１、３１の抵抗値によって、ＰＫＧ１のプルダウン抵抗１３との分圧された電圧が現れる。
この場合検出電圧は、プルアップ抵抗２１、３１、４１の抵抗をそれぞれ、Ｒ２、Ｒ３、Ｒ４とすると、式（１）により計算できる。
Ｒ４／（Ｒ４＋（Ｒ２×Ｒ３／（Ｒ２＋Ｒ３）））×５Ｖ・・・（１）
式（１）を用いて計算すると、検出電圧は、３．５７Ｖとなる。
【００３１】
レシーバＩＣ１２は、検出電圧として３．５７Ｖを検出する。このとき、レシーバＩＣ１２が持つ閾値（ここでは２．５Ｖ）と比較すると、"Ｈ"の判定となり、ＰＫＧ４のみが接続されていないことを検出することはできない。このため、検査信号を一定の分周比を持つクロックを以って出力し調整する。具体的には、ドライバＩＣ１１へ入力する検査信号を減衰させて検査信号の電圧を下げる。検査信号は、クロックによって各ＰＫＧ２〜４に設けられたコンデンサ成分によって平滑される。そこで、あらかじめＰＫＧ４のみが存在しない場合を検出可能とするように検査信号の電圧を減衰させて調整する必要がある、ここでは電圧の減衰比を６５％にした時、式（１）を用いて計算する３．５７Ｖの電圧は２．３２Ｖとなり、レシーバＩＣ１２の閾値である２．５Ｖを下回る、（図２Ｂ）
このように、検査信号の周波数を変更して検査信号の電圧を調整（減衰）し、接続しないないＰＫＧを検出可能とする。
【００３２】
次に、ＰＫＧ２が接続されており、ＰＫＧ３、ＰＫＧ４が接続されていない場合の検出方法を説明する。レシーバＩＣ１２では、分圧された電圧は２．７８Ｖとなり調整されたクロック分周比にて減衰率を８０％とすると検出電圧は２．２２Ｖとなる。検査信号として、コンスタント出力（分周比１００％）にした場合、分周比８０％とした場合、分周比６５％にした場合を検査信号線８へ与えることによってレシーバＩＣ１２の閾値のみで各ＰＫＧ２〜４が何処の場所で切断されているかを特定できるようになる。
【００３３】
図２の検出結果をタイムチャートで表した図が図３Ａ、３Ｂである。図３Ａ、３Ｂでは、閾値を１点破線で、検出電圧を点線で示している。
まず、ＰＫＧ２、ＰＫＧ３、ＰＫＧ４が接続されている場合、分周比８０％及び分周比６５％ともに閾値以上の電圧を示す波形となる。
次に、ＰＫＧ２、ＰＫＧ３が接続されており、ＰＫＧ４のみ接続されていない場合、分周比８０％では、閾値以上の電圧を示し、分周比６５％ともに閾値より低い電圧を示す波形となる。
次に、ＰＫＧ２が接続されており、ＰＫＧ３、ＰＫＧ４が接続されていない場合、分周比８０％及び分周比６５％ともに閾値より低い電圧を示す波形となる。
【００３４】
図２Ａ，２Ｂ及び図３Ａ，３Ｂを用いて説明したように、検査信号線８に伝送される検査信号の電圧を調整することによって、受信手段（レシーバＩＣ１２）は、一つの閾値を用いて検査対象パッケージ（ＰＫＧ２〜４）が接続していないことを検出することができる。これは、検査対象パッケージが有するプルアップ抵抗から供給される電圧を分圧させ、受信手段が、分圧された検査信号の電圧を検出し、検出電圧の値を閾値と比較することによって実現する。このとき、検査対象パッケージが接続されてない場合に、検出電圧の値が閾値未満になるように、検査信号の電圧を調整することによって実現する。
【００３５】
このとき、受信手段は、一つの閾値と検出電圧を比較する。また、検査信号線は、検査対象パッケージに内在する検査対象内信号線と、制御パッケージに内在する制御内信号線とによって１本のラインが形成されればよい。一本のラインを用いて、検査信号の電圧を分圧し、受信手段は、分圧された検出電圧を検出する。また、レシーバＩＣ１２は、検出電圧と閾値とを比較することにより、制御パッケージ（図１では、ＰＫＧ１）と、複数の検査対象パッケージ（図１では、ＰＫＧ２〜４）のうち、制御パッケージに最も近い検査対象パッケージの断線を検出する。
【００３６】
以上説明したように、本実施の形態では、次のような断線検出方法及び電子機器を説明した。
基点となるＰＫＧには出力手段となるドライバＩＣ１１から検査信号として出力された信号が、受信手段となるレシーバＩＣ１２で検出できるように検査信号線８が配線されている。同時にこの検査信号線８は各々のＰＫＧ１〜４上に配線され、各々のＰＫＧ２〜４上でプルアップ抵抗にて電圧を供給している。また同時にコンデンサを検査信号線８とＧＮＤ間に配し、伝送される検査信号の安定化を図っている。基点となるＰＫＧ１はプルアップ抵抗を持たず、プルダウン抵抗を備える。プルダウン抵抗は、以降に接続されるＰＫＧ上のプルアップ抵抗の電圧を、分圧することを目的に設けられ、ＰＫＧ４何らかの要因で断線した場合、検査信号に供給する電圧が断たれる。これにより、各ＰＫＧプルアップ抵抗から供給される電圧を分圧された電圧を、レシーバＩＣ１２の持つ閾値で検出する。このようにして、幾つか複数のＰＫＧの接続状態を、検査信号を１本の検査信号線８のみで検出させることで多極になっていた検査信号線を簡素化でき、複雑な回路構成を持つことなく簡単な回路構成で断線箇所を発見することが可能となる。
【００３７】
（その他の実施形態）
図１では、ＰＫＧ１〜４は、コネクタによって接続された例を示したが、これに限られるわけではない。コネクタに代わる接続部であってもよい。接続部は、各ＰＫＧ１〜４を電気的に接続する接続手段であればよく、例えば、ケーブル、リード線、あるいは、半田付け等を用いて実現することができる。
【００３８】
また、図１では、出力手段の一例としてドライバＩＣ１１を、受信手段の一例としてレシーバＩＣ１２を用いて説明したが、これらに限られるわけではない。出力手段は、外部から入力される（受け付ける）検査信号を検査信号線８に出力する、オープンコレクタまたはオープンドレインの構造を持つ出力ポートであってもよい。
【００３９】
上記実施形態では、電圧の異なる検査信号の分周比を可変として生成したが、その他の方法によって、検査信号の電圧を変化させてもよい。また、上記実施形態では、３種類の検査信号を用いて検査する例を示したが、少なくとも２以上の、電圧が相互に異なる検査信号を用いることによって、断線を検出することができる。
【００４０】
以上説明したように、本発明においては、以下に記載するような効果を奏する。
第１の効果は検査信号線を１本だけで（一つの検査信号だけで）、断線あるいは未接続を検出すべきＰＫＧを特定できるので従来検出すべきＰＫＧの数量分用意していた検査信号線を１本のみにすること（一つの検査信号のみで複数のＰＫＧを検査すること）が出来ることである。
第２の効果は検査信号が配線されたＰＫＧ上では複雑な回路は必要とせず、プルアップ抵抗を配するのみでよく回路の簡素化が容易である。
本発明は、例えば、ＰＫＧ（回路基板）が複数組み込まれ、各々がコネクタや装置内部のケーブルで接続されている装置に用いることができる。
【００４１】
なお、本発明は上記に示す実施形態に限定されるものではない。本発明の範囲において、上記実施形態の各要素を、当業者であれば容易に考えうる内容に変更、追加、変換することが可能である。
【符号の説明】
【００４２】
１〜４  ＰＫＧ
５〜７  接続部
８  検査信号線
１１  ドライバＩＣ
１２  レシーバＩＣ、
１３  プルダウン抵抗
１４  制御内信号線
２１、３１、４１  プルアップ抵抗
２２、３２、４２  コンデンサ
２３、３３、４３  検査対象内信号線
１５、２４、２５、３４、３５、４４  コネクタ
【図１】
0005500632.tif 000002
【図２Ａ】
0005500632.tif 000003
【図２Ｂ】
0005500632.tif 000004
【図３Ａ】
0005500632.tif 000005
【図３Ｂ】
0005500632.tif 000006